【手続補正書】
【提出日】平成30年5月22日(2018.5.22)
【手続補正１】
【補正対象書類名】特許請求の範囲
【補正対象項目名】全文
【補正方法】変更
【補正の内容】
【特許請求の範囲】
【請求項１】
発射装置により発射された遊技球が流下可能な遊技領域に第１始動口と、第２始動口と、を設け、
該第１始動口として、遊技球が常時入球可能な第１始動口Ａと、遊技球の入球が困難な閉鎖状態と該閉鎖状態よりも入球が容易な開放状態へと変化可能な普通電動役物に設けられる第１始動口Ｂと、を備え、
前記第１始動口又は前記第２始動口への遊技球の入球に基づいて当否判定を行う当否判定手段と、
特別図柄を変動表示させた後に確定表示させる特別図柄表示装置と、を設け、
該特別図柄表示装置は、前記第１始動口への遊技球の入球に基づく当否判定の結果を示す第１特別図柄を表示する第１特別図柄表示装置と、前記第２始動口への遊技球の入球に基づく当否判定の結果を示す第２特別図柄を表示する第２特別図柄表示装置と、を備え、
前記特別図柄を変動表示させる変動時間を決定する変動時間決定手段と、
前記当否判定手段による当否判定の結果に基づく演出表示を実行する演出表示手段と、
前記当否判定手段により大当りと判定された場合に、前記特別図柄で大当り図柄が確定表示されると、大当り遊技を実行する大当り遊技実行手段と、
前記当否判定手段により小当りと判定された場合に、前記特別図柄で小当り図柄が確定表示されると、小当り遊技を実行する小当り遊技実行手段と、
前記大当り遊技の終了後に、前記当否判定手段により大当りと判定される確率を通常の遊技状態よりも向上可能とする確率変動手段と、
前記大当り遊技の終了後に、前記普通電動役物の開放時間を通常時間よりも延長可能とする開放延長手段と、を備え、
前記遊技領域は、発射強度の調整により遊技球を打ち分け可能な第１遊技領域と、第２遊技領域と、を設け、
前記第２遊技領域を流下した遊技球よりも前記第１遊技領域に流下した遊技球の方が入球し易い位置に前記第１始動口を配置し、前記第１遊技領域を流下した遊技球よりも前記第２遊技領域に流下した遊技球の方が入球し易い位置に前記第２始動口を配置し、
前記第１特別図柄及び前記第２特別図柄のうち、一方の特別図柄が変動中の場合でも、他方の特別図柄を変動可能に構成された弾球遊技機において、
少なくとも前記確率変動手段及び前記開放延長手段の作動中に、前記当否判定で大当りと判定された場合には、前記開放延長手段の作動を前記特別図柄の変動表示開始時に終了させると、特定状態へ移行するものとし、
該特定状態における前記第２特別図柄の平均的な変動時間は、前記特定状態以外の状態における前記第２特別図柄の平均的な変動時間よりも短くし、
前記第２始動口への遊技球の入球に基づく当否判定で小当りと判定される確率は、前記確率変動手段の作動中に前記第２始動口への遊技球の入球に基づく当否判定で大当りと判定される確率よりも高いことを特徴とする弾球遊技機。
【請求項２】
前記開放延長手段の作動中で少なくとも前記第１始動口への遊技球の入球に基づく当否判定で大当りと判定された場合に前記変動時間決定手段により決定される前記第１特別図柄の変動時間を複数種類備えることを特徴とする請求項１に記載の弾球遊技機。
【請求項３】
前記第１始動口への遊技球の入球に基づく当否判定で判定される大当りには、遊技者にとって遊技価値が異なる複数種類の大当りが存在し、
前記開放延長手段の作動中に前記第１始動口への遊技球の入球に基づく当否判定で大当りと判定された場合の前記第１特別図柄の変動表示中に前記演出表示手段により実行される演出表示は、前記第１始動口への遊技球の入球に基づく当否判定で判定された大当りが所定の大当りであるか否かを示す演出表示であることを特徴とする請求項１又は請求項２に記載の弾球遊技機。
【請求項４】
前記開放延長手段の作動中に行われる前記当否判定の回数に応じて、前記開放延長手段の作動中に少なくとも前記当否判定で大当りと判定された場合の前記第１特別図柄の平均的な変動時間を異ならせることを特徴とする請求項１から請求項３のいずれかに記載の弾球遊技機。
【手続補正２】
【補正対象書類名】明細書
【補正対象項目名】０００９
【補正方法】変更
【補正の内容】
【０００９】
上記課題を解決するためになされた本発明の請求項１に記載の弾球遊技機は、発射装置により発射された遊技球が流下可能な遊技領域に第１始動口と、第２始動口と、を設け、該第１始動口として、遊技球が常時入球可能な第１始動口Ａと、遊技球の入球が困難な閉鎖状態と該閉鎖状態よりも入球が容易な開放状態へと変化可能な普通電動役物に設けられる第１始動口Ｂと、を備え、前記第１始動口又は前記第２始動口への遊技球の入球に基づいて当否判定を行う当否判定手段と、特別図柄を変動表示させた後に確定表示させる特別図柄表示装置と、を設け、該特別図柄表示装置は、前記第１始動口への遊技球の入球に基づく当否判定の結果を示す第１特別図柄を表示する第１特別図柄表示装置と、前記第２始動口への遊技球の入球に基づく当否判定の結果を示す第２特別図柄を表示する第２特別図柄表示装置と、を備え、前記特別図柄を変動表示させる変動時間を決定する変動時間決定手段と、前記当否判定手段による当否判定の結果に基づく演出表示を実行する演出表示手段と、前記当否判定手段により大当りと判定された場合に、前記特別図柄で大当り図柄が確定表示されると、大当り遊技を実行する大当り遊技実行手段と、前記当否判定手段により小当りと判定された場合に、前記特別図柄で小当り図柄が確定表示されると、小当り遊技を実行する小当り遊技実行手段と、前記大当り遊技の終了後に、前記当否判定手段により大当りと判定される確率を通常の遊技状態よりも向上可能とする確率変動手段と、前記大当り遊技の終了後に、前記普通電動役物の開放時間を通常時間よりも延長可能とする開放延長手段と、を備え、前記遊技領域は、発射強度の調整により遊技球を打ち分け可能な第１遊技領域と、第２遊技領域と、を設け、前記第２遊技領域を流下した遊技球よりも前記第１遊技領域に流下した遊技球の方が入球し易い位置に前記第１始動口を配置し、前記第１遊技領域を流下した遊技球よりも前記第２遊技領域に流下した遊技球の方が入球し易い位置に前記第２始動口を配置し、前記第１特別図柄及び前記第２特別図柄のうち、一方の特別図柄が変動中の場合でも、他方の特別図柄を変動可能に構成された弾球遊技機において、少なくとも前記確率変動手段及び前記開放延長手段の作動中に、前記当否判定で大当りと判定された場合には、前記開放延長手段の作動を前記特別図柄の変動表示開始時に終了させると、特定状態へ移行するものとし、該特定状態における前記第２特別図柄の平均的な変動時間は、前記特定状態以外の状態における前記第２特別図柄の平均的な変動時間よりも短くし、前記第２始動口への遊技球の入球に基づく当否判定で小当りと判定される確率は、前記確率変動手段の作動中に前記第２始動口への遊技球の入球に基づく当否判定で大当りと判定される確率よりも高いことを特徴とする。
【手続補正３】
【補正対象書類名】明細書
【補正対象項目名】００１９
【補正方法】変更
【補正の内容】
【００１９】
請求項１に記載の弾球遊技機によれば、第２始動口に遊技球を入球させて行われる当否判定で小当りと判定される確率を高くすることで小当り遊技を高確率で実行可能とし、特定状態における第２特別図柄の平均的な変動時間を該特定状態以外の状態における第２特別図柄の平均的な変動時間よりも短くしたことで、特定状態を小当り遊技が頻繁に実行可能な状態とすることができ、特定状態は少なくとも確率変動手段の作動中に大当りと判定された場合に、開放延長手段の作動を特別図柄の変動表示開始時に終了させることで移行する状態であるため、小当り遊技が頻繁に実行可能な状態へと突入すれば大当り確定とすることが可能となり、小当り遊技で獲得した賞球を大当り遊技で獲得した賞球に付加することができるので、一度大当りと判定されたことを契機にして獲得できる賞球を増やすことが可能となる。また、少なくとも確率変動手段及び開放延長手段の作動中に大当りと判定されなければ、小当り遊技が頻繁に実行可能な特定状態へ移行しないことになるので、開放延長手段の作動中との差別化を図ることが可能となる。